(57)【要約】【課題】画像データの送信宛先として着脱式記憶媒体を指定する場合の操作をより簡易化することを可能とした画像処理装置、制御方法、及びプログラムを提供する。【解決手段】画像処理装置のCPU180は、送信モード5003がリムーバブルメモリで且つ優先表示フラグ5005が１の登録情報の中に未表示のものがある場合は、リムーバブルメモリが新たに画像処理装置に装着されたと判断する。未表示のものがない場合は、リムーバブルメモリが新たに画像処理装置に装着されていないと判断する。リムーバブルメモリが画像処理装置に装着された場合、宛先欄に表示されるように選択宛先表示画面データを作成し、操作部202に出力する。【選択図】図１４
2012070432.tif 000002
【特許請求の範囲】
【請求項１】
コピー機能を含む複数の機能を備え、画像データを記憶する着脱式記憶媒体が装着可能な画像処理装置であって、
前記画像処理装置が備える複数の機能の中から実行すべき機能を選択するための選択手段と、
前記選択手段による選択に応じて前記コピー機能に関する設定を行うためのコピー設定画面、又は前記着脱式記憶媒体を用いる処理を選択可能な特定機能に関する設定を行うための特定機能設定画面の何れかを表示する表示手段と、
前記着脱式記憶媒体の装着を検知する検知手段と、
前記コピー設定画面に表示されるコピー機能に関する設定項目の表示は、前記検知手段によって前記着脱式記憶媒体の装着が検知されたか否かによって変更しないように制御すると共に、前記検知手段によって前記着脱式記憶媒体の装着が検知されなかった場合は、前記着脱式記憶媒体を用いる処理に関する情報を前記特定機能設定画面に表示せず、前記着脱式記憶媒体の装着が検知された場合は、前記着脱式記憶媒体を用いる処理に関する情報を前記特定機能設定画面に表示するよう制御する表示制御手段と、
を有することを特徴とする画像処理装置。
【請求項２】
前記コピー機能に関する設定項目は、両面印刷に関する項目及び印刷用紙に対する後処理に関する項目を含むことを特徴とする請求項１記載の画像処理装置。
【請求項３】
原稿を読み取って画像データを生成する原稿読取手段を更に有し、
前記着脱式記憶媒体を用いる処理を選択可能な特定機能は、前記原稿読取手段によって生成された画像データを送信する送信機能であることを特徴とする請求項１又は２記載の画像処理装置。
【請求項４】
前記送信機能は、前記原稿読取手段によって生成された画像データを電子メールを用いて外部装置に送信する第一の送信処理と、前記原稿読取手段によって生成された画像データを前記画像処理装置に装着された前記着脱式記憶媒体に送信する第二の送信処理を含み、前記特定機能設定画面において前記第一の送信処理と前記第二の送信処理の何れかを選択可能であることを特徴とする請求項３記載の画像処理装置。
【請求項５】
前記表示制御手段は、前記着脱式記憶媒体の装着が検知された場合、前記特定機能設定画面において前記第二の送信処理に関する情報を前記第一の送信処理に関する情報よりも優先して表示するよう制御することを特徴とする請求項４記載の画像処理装置。
【請求項６】
コピー機能を含む複数の機能を備え、画像データを記憶する着脱式記憶媒体が装着可能な画像処理装置の制御方法であって、
前記画像処理装置が備える複数の機能の中から実行すべき機能を選択するための選択ステップと、
前記選択ステップによる選択に応じて前記コピー機能に関する設定を行うためのコピー設定画面、又は前記着脱式記憶媒体を用いる処理を選択可能な特定機能に関する設定を行うための特定機能設定画面の何れかを表示する表示ステップと、
前記着脱式記憶媒体の装着を検知する検知ステップと、
前記コピー設定画面に表示されるコピー機能に関する設定項目の表示は、前記検知ステップによって前記着脱式記憶媒体の装着が検知されたか否かによって変更しないように制御すると共に、前記検知ステップによって前記着脱式記憶媒体の装着が検知されなかった場合は、前記着脱式記憶媒体を用いる処理に関する情報を前記特定機能設定画面に表示せず、前記着脱式記憶媒体の装着が検知された場合は、前記着脱式記憶媒体を用いる処理に関する情報を前記特定機能設定画面に表示するよう制御する表示制御ステップと、を有することを特徴とする制御方法。
【請求項７】
請求項６に記載の制御方法の各ステップをコンピュータに実行させるためのプログラム。
【発明の詳細な説明】
【技術分野】
【０００１】
本発明は、画像データを着脱式記憶媒体に保存する機能を有する画像処理装置、制御方法、及びプログラムに関する。
【背景技術】
【０００２】
従来、原稿画像を読み取る画像読取部、画像形成を行う画像形成部、安価で大容量の着脱式記憶媒体が着脱される接続部を備えた画像処理装置がある。この種の画像処理装置では、原稿から読み取った画像データを着脱式記憶媒体に保存したり、着脱式記憶媒体に保存されている画像データを読み出して用紙に画像形成したりすることが可能である（例えば、特許文献１参照）。
【先行技術文献】
【特許文献】
【０００３】
【特許文献１】特開２００５−２０２８１３号公報
【発明の概要】
【発明が解決しようとする課題】
【０００４】
従来の画像処理装置では、原稿から読み取った画像データを着脱式記憶媒体に保存する保存機能は、スキャン機能やコピー機能における画像データの１つの出力先として着脱式記憶媒体を選択可能とすることで実現している。或いは、保存機能を設定するための操作専用画面を表示することで実現している。
【０００５】
そのため、利用者による誤操作で画像データの出力先を間違えやすい、操作がわかりづらい等の問題があった。これは、特に、画像処理装置に着脱式記憶媒体が複数装着されている場合に顕著であった。
【０００６】
本発明の目的は、画像処理装置において使用する着脱式記憶媒体を指定する場合の操作をより簡易化し、特に、着脱式記憶媒体を使用したいというユーザの意思に沿った、使い易いユーザインターフェースを提供可能にした画像処理装置、制御方法、及びプログラムを提供することにある。
【課題を解決するための手段】
【０００７】
上記目的を達成するために、本発明は、コピー機能を含む複数の機能を備え、画像データを記憶する着脱式記憶媒体が装着可能な画像処理装置であって、前記画像処理装置が備える複数の機能の中から実行すべき機能を選択するための選択手段と、前記選択手段による選択に応じて前記コピー機能に関する設定を行うためのコピー設定画面、又は前記着脱式記憶媒体を用いる処理を選択可能な特定機能に関する設定を行うための特定機能設定画面の何れかを表示する表示手段と、前記着脱式記憶媒体の装着を検知する検知手段と、前記コピー設定画面に表示されるコピー機能に関する設定項目の表示は、前記検知手段によって前記着脱式記憶媒体の装着が検知されたか否かによって変更しないように制御すると共に、前記検知手段によって前記着脱式記憶媒体の装着が検知されなかった場合は、前記着脱式記憶媒体を用いる処理に関する情報を前記特定機能設定画面に表示せず、前記着脱式記憶媒体の装着が検知された場合は、前記着脱式記憶媒体を用いる処理に関する情報を前記特定機能設定画面に表示するよう制御する表示制御手段と、を有することを特徴とする。
【発明の効果】
【０００８】
本発明によれば、着脱式記憶媒体が装着された場合、着脱式記憶媒体を用いる処理に関する情報を特定機能設定画面に表示するため、画像処理装置において使用する着脱式記憶媒体を指定する場合の利用者の操作をより簡易化することが可能となる。特に、着脱式記憶媒体を使用したいというユーザの意思に沿った、使い易いユーザインターフェースを提供できるという効果を奏する。
【図面の簡単な説明】
【０００９】
【図１】本発明の実施の形態に係る画像処理システムの全体の構成を示すブロック図である。
【図２】画像処理装置の要部の構成を示すブロック図である。
【図３】画像処理装置の操作部の構成を示す図である。
【図４】画像処理装置の初期画面を示す図である。
【図５】画像処理装置のポップアップ画面を示す図である。
【図６】画像処理装置のコピー画面を示す図である。
【図７】画像処理装置のボックス画面を示す図である。
【図８】画像処理装置に装着されたリムーバブルメモリに画像データを格納する処理を示すフローチャートである。
【図９】画像処理装置が保持するアドレス帳の構造を示す図である。
【図１０】画像処理装置に対するリムーバブルメモリの着脱時に更新するリムーバブルメモリ情報の構造を示す図である。
【図１１】画像処理装置に装着されたリムーバブルメモリの情報をアドレス帳に自動登録する場合の制御を示すフローチャートである。
【図１２】画像処理装置のアドレス帳から自動登録したリムーバブルメモリを削除する場合の制御を示すフローチャートである。
【図１３】画像処理装置の選択宛先表示画面を示す図である。
【図１４】画像処理装置の選択宛先表示画面の表示中にリムーバブルメモリが装着された場合の表示制御を示すフローチャートである。
【図１５】画像処理装置にリムーバブルメモリが装着されている状態で選択宛先表示画面を表示する場合の制御を示すフローチャートである。
【図１６】画像処理装置の選択宛先表示画面の表示中にリムーバブルメモリが取り外された場合の表示制御を示すフローチャートである。
【図１７】画像処理装置の送信宛先表画面を示す図である。
【図１８】画像処理装置の送信宛先表画面の表示中にリムーバブルメモリが装着された場合の表示制御を示すフローチャートである。
【図１９】画像処理装置にリムーバブルメモリが装着されている状態で送信宛先表画面を表示する場合の制御を示すフローチャートである。
【図２０】画像処理装置の送信宛先表画面の表示中にリムーバブルメモリが取り外された場合の表示制御を示すフローチャートである。
【図２１】画像処理装置に装着されたリムーバブルメモリと他の送信手順による宛先との同報送信設定画面を示す図である。
【発明を実施するための形態】
【００１０】
以下、本発明の実施の形態を図面に基づいて説明する。
【００１１】
図１は、本発明の実施の形態に係る画像処理システムの全体の構成を示すブロック図である。
【００１２】
図１において、画像処理システムは、複数の画像処理装置２００、２１０、２２０、パーソナルコンピュータ（以下ＰＣと表記）２３０がＬＡＮ２４０を介して接続されている。画像処理装置２００は、コントローラユニット２０１、操作部２０２、スキャナ部２０３、プリンタ部２０４を備える。画像処理装置２１０は、コントローラユニット２１１、操作部２１２、スキャナ部２１３、プリンタ部２１４を備える。画像処理装置２２０は、コントローラユニット２２１、操作部２２２、スキャナ部２２３、プリンタ部２２４を備える。
【００１３】
画像処理装置２００は、コピー機能、送信機能、ボックス機能、プリント機能を備える。操作部２０２は、利用者が画像処理装置２００に対して各種操作設定を行うためのユーザインターフェースである。スキャナ部２０３は、原稿読取位置にセットされた原稿から画像データを読み取る画像読取デバイスである。プリンタ部２０４は、本実施の形態では電子写真方式（レーザビーム方式）で用紙に画像形成を行う画像形成デバイスとするが、他の方式（インクジェット方式、熱転写方式など）でもよい。コントローラユニット２０１は、上記各部、ＬＡＮ２４０、公衆回線２５０と接続され、上記各部の制御を司る。公衆回線２５０からは、カラー画像送信を含むＧ３規格／Ｇ４規格のファクシミリ送信／受信が可能である。
【００１４】
画像処理装置２１０、２２０も、コピー機能、送信機能、ボックス機能、プリント機能を備えたリモート接続の複合機として構成されているが、画像処理装置２００と同様の構成であるため、説明を省略する。
【００１５】
ＰＣ２３０は、ＣＰＵ、ＲＯＭ、ＲＡＭ、ＨＤＤ、ディスプレイ等の一般的な構成を備えた情報処理装置であり、画像処理装置２００〜２２０と通信を行うことで画像処理動作を指示することが可能である。本実施の形態では、ＰＣ２３０は、ＦＴＰ（File Transfer Protocol）、ＳＭＢ（Server Message Block）プロトコルを使用したファイルの送受信、電子メールの送受信が可能である。
【００１６】
図２以下では画像処理装置２００を例に挙げ各種制御について説明するものとするが、画像処理装置２００を画像処理装置２１０、画像処理装置２２０に置きかえてもよい。なお、画像処理システムを構成する画像処理装置及びＰＣの設置台数は任意である。
【００１７】
図２は、画像処理装置２００の要部の構成を示すブロック図である。
【００１８】
図２において、画像処理装置２００のコントローラユニット２０１は、スキャナインタフェース（以下Ｉ／Ｆ）部１０、プリンタＩ／Ｆ部４０、通信及びユーザＩ／Ｆ制御部１７０、ＣＰＵ１８０等のハードウエアモジュールを備えている。
【００１９】
ＣＰＵ１８０は、後述の各種画面の表示制御を含む画像処理装置２００の全体的な動作を制御する。また、ＣＰＵ１８０は、ＲＯＭ９５に格納されているプログラムに基づき後述の各フローチャートに示す処理を実行する。スキャナＩ／Ｆ部１０は、スキャナ部２０３の画像読取デバイス（ＣＣＤ１７、ＣＩＳ１８）からアナログフロントエンド（ＡＦＥ）１５を介して出力される画像データを入力処理する。入力された画像データは、メモリ制御部７０によりＤＭＡ転送されメインメモリ（ＳＤＲＡＭ）１００上に展開される。ＡＦＥ１５により、個別の専用回路を介在させずに原稿の画像データを取り込むことができる。
【００２０】
スキャナ画像処理部２０は、スキャナＩ／Ｆ部１０の処理によりメインメモリ１００に展開された画像データに対し、画像処理動作モード（カラーコピー、モノクロコピー、カラースキャン、モノクロスキャン等）に応じた画像処理を実行する。
【００２１】
バッファ調停部７７は、スキャナＩ／Ｆ部１０とスキャナ画像処理部２０の間のデータの受け渡しをメインメモリ１００上のリングバッファ領域を介して行う場合、データの書き込みと読み出しを調停する。プリンタ画像処理部３０は、入力する画像の領域編集や解像度変換を行い、得られた画像データをプリンタ部２０４に出力する。プリンタＩ／Ｆ部４０は、プリンタ部２０４に画像処理結果を出力する。
【００２２】
バッファ調停部７８は、プリンタ画像処理部３０とプリンタＩ／Ｆ部４０の間のデータの受け渡しをメインメモリ１００上のリングバッファ領域を介して行う場合、データの書き込みと読み出しを調停する。バッファ調停部７７、７８の基本構成は同一であるが、使用する用途により制御方法が異なる。
【００２３】
ＪＰＥＧ（Joint Photographic Experts Group）モジュール５０は、ＪＰＥＧ規格に準拠した画像データの圧縮処理、伸張処理を実行する。ＪＢＩＧ（Joint Bi-level Image Experts Group）モジュール６０は、ＪＢＩＧ規格に準拠した画像データの圧縮処理、伸張処理を実行する。メモリ制御部７０は、画像処理系の第１バス８３、第２バス８４、及びコンピュータ系の第３バス８５と各々接続し、メインメモリ１００に対するデータの書き込み／読み出しのためのデータ転送制御を行う。
【００２４】
ＤＭＡＣ９０は、メモリ制御部７０と協働し、ＲＯＭＩＳＡ９７を介しＲＯＭ９５と接続し、外部デバイスや通信及びユーザＩ／Ｆ制御部１７０とメインメモリ１００との間のデータ授受に関し、ＤＭＡ制御するための所定のアドレス情報を生成し設定する。ＤＭＡＣ９１は、メモリ制御部７０と協働し、各Ｉ／Ｆ部１０、４０、各画像処理部２０、３０とメインメモリ１００との間のデータ授受に関し、ＤＭＡ制御するための所定のアドレス情報を生成し設定する。
【００２５】
ＤＭＡＣ９１は、以下の処理を行う。例えば、画像読取デバイス（ＣＣＤ１７、ＣＩＳ１８）の種類に応じて、スキャナＩ／Ｆ部１０で読取処理された画像データをメインメモリ１００にＤＭＡ転送するためのアドレス情報をＤＭＡのチャンネル毎に生成する。または、ＤＭＡＣ９１は、メインメモリ１００上に展開された画像データを読み出すためのアドレス情報をＤＭＡのチャンネルに応じて生成する。更に、ＤＭＡＣ９１は、アドレス情報をスキャナ画像処理部２０にＤＭＡ転送する等の処理を行う。即ち、ＤＭＡＣ９１は、各Ｉ／Ｆ部１０、４０、各画像処理部２０、３０とメインメモリ１００との間におけるＤＭＡ制御を、メモリ制御部７０と共に司るユニットとして機能する。
【００２６】
ＲＯＭ９５には、画像読取デバイス（ＣＣＤ１７、ＣＩＳ１８）に応じた制御パラメータ、制御プログラムデータが格納されている。これにより、画像読取デバイスに応じて制御パラメータ等を種々設定することができ、ＣＣＤ１７、ＣＩＳ１８の個別のデータ出力形式に応じた画像データの入力処理が可能となるため、専用Ｉ／Ｆ回路の設置が不要となる。
【００２７】
メインメモリ１００には、原稿から読み取った画像データが記憶される他に、アドレス帳情報（以下アドレス帳と表記）５０００（図９）、リムーバブルメモリ情報５１００（図１０）が記憶される。アドレス帳５０００及びリムーバブルメモリ情報５１００の詳細については後述する。
【００２８】
第１バス８３は、メインメモリ１００から読み出したデータを画像処理系の各処理部（１０〜６０）に送出することが可能である。第２バス８４は、画像処理系の各処理部（１０〜６０）から読み出したデータをメインメモリ１００に送出することが可能である。第１バス８３と第２バス８４は、対になって画像処理系の各処理部とメインメモリ１００との間の画像データの授受を行う。第３バス８５は、コンピュータ系のバスであり、ＣＰＵ１８０、通信及びユーザＩ／Ｆ制御部１７０、メカトロ系制御部１２５、画像処理部内部の制御レジスタ、及びＤＭＡＣ９０が接続される。
【００２９】
メカトロ系制御部１２５は、モータ制御部１１０と、割り込みタイマ制御部１２０とを備える。モータ制御部１１０は、画像処理装置２００内に設置されているモータ（不図示）の駆動制御を司る。割り込みタイマ制御部１２０は、モータの駆動タイミングや、画像処理系の処理の同調を制御するためのタイミング制御を司る。
【００３０】
通信及びユーザＩ／Ｆ制御部１７０は、操作部Ｉ／Ｆ１３０、ＵＳＢホストＩ／Ｆ部１４０、ＵＳＢデバイスＩ／Ｆ部１５０、ＬＡＮコントローラ（ＬＡＮＣ）部１６０を備える。操作部Ｉ／Ｆ１３０は、操作部２０２とのＩ／Ｆを司るものであり、表示対象の画面データを操作部２０２に対して出力する。また、操作部Ｉ／Ｆ１３０は、操作部２０２から利用者が入力した情報をＣＰＵ１８０に伝える役割をする。
【００３１】
ＵＳＢホストＩ／Ｆ部１４０、ＵＳＢデバイスＩ／Ｆ部１５０は、画像処理装置２００と周辺機器やリムーバブルメモリとの接続を可能にする。図２ではＵＳＢホストＩ／Ｆ部１４０に着脱式記憶媒体の一例であるＵＳＢメモリ１７５（以下リムーバブルメモリと表記する）を接続した状態を示している。ＵＳＢＩ／Ｆ部の設置数は任意である。ＬＡＮＣ部１６０は、ＬＡＮを介して接続する機器との間のデータ送受信を制御する。
【００３２】
なお、本実施の形態では、画像処理装置２００にはリムーバブルメモリを挿入するドライブ（コネクタ）が例えば３つ装備（不図示）されているものとし、それぞれＥドライブ、Ｆドライブ、Ｇドライブとする。
【００３３】
図３は、画像処理装置２００の操作部２０２の構成を示す図である。
【００３４】
図３において、操作部２０２は、ＬＣＤ表示部２８０１、スタートキー２８０３、ストップキー２８０５等を備える。ＬＣＤ表示部２８０１は、ＬＣＤ上にタッチパネルシート２８０２を貼り付けた構成を有し、後述の各種画面及びソフトキーを表示すると共に、表示中のキーが押下された際にその位置情報をＣＰＵ１８０に伝える。
【００３５】
スタートキー２８０３は、ユーザが原稿画像の読取動作の開始を指示する場合などに用いる。スタートキー２８０３の中央部には、緑と赤の２色ＬＥＤ２８０４が配置されており、その色によりスタートキー２８０３が使える状態にあるかどうかを示す。ストップキー２８０５は、ユーザが画像処理装置の稼働中の動作を止める時に用いる。ＩＤキー２８０６は、利用者のユーザＩＤを入力する時に用いる。リセットキー２８０７は、操作部２０２からの設定を初期化する時に用いる。
【００３６】
図４は、画像処理装置２００の初期画面を示す図である。
【００３７】
図４において、初期画面は、画像処理装置２００の操作部２０２のＬＣＤ表示部２８０１に表示される画面であり、画像処理装置２００の電源投入後や、初期設定（各画像処理機能の設定）後に表示される標準画面でもある。なお、図４は送信機能のための画面であり、本実施の形態では送信機能のための画面を標準画面とする。勿論、標準画面は送信機能のための画面に限定されるものではなく、他の機能のための画面を標準画面としても構わない。
【００３８】
コピータブ３１０１は、これを押下することでコピー機能のための各種設定を行うための画面切り替えが行われる。送信タブ３１０２は、これを押下することでスキャンした画像をファクシミリ送信または電子メール送信する設定を行うための送信機能のための画面切り替えが行われる。なお、本実施の形態では、送信機能における送信宛先の１つとしてリムーバブルメモリを指定することができる。
【００３９】
ボックスタブ３１０３は、これを押下することでボックス機能に関する設定を行うための画面切り替えが行われる。ボックス機能とは、メインメモリ１００やリムーバブルメモリにスキャン画像／ＰＤＬ画像を格納したり、或いはメインメモリ１００やリムーバブルメモリに格納されたスキャン画像／ＰＤＬ画像を印刷または送信したりする機能である。表示部３１０４は、ボタン３１０５により設定された画像読み込み時の設定を表示する。上記各タブの押下に伴う画面切り替えはＣＰＵ１８０により制御される。
【００４０】
ボタン３１０５は、画像読み込み時の解像度、濃度などを設定する。ボタン３１０６は、タイマ送信時のタイマ設定、プリンタ部により印刷する場合の設定などを行う。宛先欄３１０７は、指定された送信宛先を表示する。ボタン３１０８は、宛先欄３１０７に表示された送信宛先を設定する。ボタン３１０９は、宛先欄３１０７に表示された１宛先の詳細な情報の表示を行う。ボタン３１１０は、宛先欄３１０７に表示された１宛先の消去を行う。
【００４１】
図５は、画像処理装置２００のポップアップ画面を示す図である。
【００４２】
図５において、ポップアップ画面は、初期画面のボタン３１０５を押下した時に操作部２０２のＬＣＤ表示部２８０１に表示される。ボタン３２０１は、原稿の読取サイズをポップアップの中から選択し設定する時に押下する。表示部３２０２は、設定された読取サイズを表示する。ボタン３２０３は、原稿の読取モードを選択するものであり、その押下によりカラー／ブラック／自動（ＡＣＳ：Auto Color Selection）の３種類を選択できる。カラーモードに関してはコピー機能、ボックス機能でも同様に選択できる。カラーの場合はカラー画像を、ブラックの場合には白黒画像を、ＡＣＳの場合にはカラー画像と原稿がカラーか白黒かを判別した結果を蓄積する。
【００４３】
解像度入力部３２０４は、読み取りの解像度を指定するためポップアップから選択する時に入力する。スライダ３２０５は、原稿の読取濃度を調整するためのものであり、本実施の形態では９段階の調整が可能である。ボタン３２０６は、新聞のように下地がかぶった画像を読み込む場合に濃度を自動的に決定する時に押下する。ボタン３２０６についてはスキャンだけでなくコピーでも同様の設定が可能である。
【００４４】
図６は、画像処理装置２００のコピー画面を示す図である。
【００４５】
図６において、コピー画面は、初期画面のコピータブ３１０１を押下した時に操作部２０２のＬＣＤ表示部２８０１に表示される。表示部３３０１は、コピーできる状態か否かを示すものであり、設定したコピー部数も同時に表示される。ボタン３３０２は、ボタン３２０６と同等の機能を有し、下地除去を自動的に行うか否かを選択する時に押下する。スライダ３３０３は、スライダ３２０５と同等の機能を有し、９段階の濃度調整が可能である。
【００４６】
選択部３３０４は、原稿のタイプを選択するものであり、例えば４種類（文字・写真・地図原稿、文字原稿、印画紙写真原稿、印刷写真原稿）のうち任意のものを選択できる。応用モードボタン３３０５は、縮小レイアウト（複数枚の原稿を１枚の用紙に縮小印刷する機能）や、カラーバランス（ＣＭＹＫの各色微調整）などを設定できる。ボタン３３０６は、画像形成が完了した用紙に対する各種フィニッシング（後処理）に関わる設定を行うものであり、シフトソート、ステープルソート、グループソートを設定できる。ボタン３３０７は、両面読み込み及び両面印刷に関わる設定を行うことができる。
【００４７】
図７は、画像処理装置２００のボックス画面を示す図である。
【００４８】
図７において、ボックス画面は、初期画面のボックスタブ３１０３を押下した時に操作部２０２のＬＣＤ表示部２８０１に表示される。各フォルダ３４０１は、メインメモリ１００を論理的に区分したものである。各フォルダにはフォルダ番号が予め割り振られており、最上部のフォルダは０番のフォルダになる。フォルダ番号の横にはフォルダで使用しているディスク容量の割合（％）が表示されている。また、フォルダには任意の名前をつけることができ、名前もフォルダ番号の横に表示される。表示部３４０２は、メインメモリ１００全体の使用量を表示する。
【００４９】
次に、本実施の形態の画像処理装置２００におけるScanToリムーバブルメモリ機能の制御について説明する。ScanToリムーバブルメモリ機能とは、画像処理装置２００の送信機能を用いて画像処理装置２００のスキャナ部２０３で読み取った画像データをリムーバブルメモリに記憶する機能である。
【００５０】
図８は、画像処理装置２００に装着されたリムーバブルメモリに画像データを格納する処理を示すフローチャートである。
【００５１】
図８において、画像処理装置２００のＣＰＵ１８０は、操作部２０２に表示された初期画面の送信タブ３１０２が利用者により押下されたか否かを判断する（ステップＳ４０１）。利用者により送信タブ３１０２が押下された場合は、ステップＳ４０２の処理を行う。利用者により送信タブ３１０２が押下されていない場合は、ステップＳ４０１の処理を行う。
【００５２】
送信タブ３１０２が押下された場合、ＣＰＵ１８０は、利用者に対し原稿をスキャンした画像データの送り先を入力させるためのユーザインターフェースである送信初期画面データを作成し、操作部２０２に表示する（ステップＳ４０２）。ここで表示される選択宛先表示画面は図４の初期画面に相当する。次に、ＣＰＵ１８０は、ユーザにより選択されたリムーバブルメモリを、原稿からスキャンした画像データの送り先として記憶し（ステップＳ４０３）、ステップＳ４０４の処理を行う。
【００５３】
ＣＰＵ１８０は、利用者により原稿が画像処理装置２００の原稿読取位置にセットされ、スタートキー２８０３が押されたか否かを判断する（ステップＳ４０４）。スタートキー２８０３が押下された場合は、ステップＳ４０５の処理を行う。スタートキー２８０３が押下されていない場合は、ステップＳ４０４の処理を行う。
【００５４】
スタートキー２８０３が押下された場合、ＣＰＵ１８０は、上記送り先として記憶したリムーバブルメモリが画像処理装置２００に装着されているか否かをＵＳＢホストＩ／Ｆ部１４０により確認する（ステップＳ４０５）。リムーバブルメモリが画像処理装置２００に装着されている場合は、ステップＳ４０６の処理を行う。リムーバブルメモリが画像処理装置２００に装着されていない場合は、ステップＳ４０７の処理を行う。
【００５５】
リムーバブルメモリが装着されている場合、ＣＰＵ１８０は、スキャナ部２０３により原稿１ページの読み取りを行い（ステップＳ４０６）、原稿から読み取った画像データをメインメモリ１００に記憶し、ステップＳ４０８の処理を行う。リムーバブルメモリが装着されていない場合、ＣＰＵ１８０は、指定されたリムーバブルメモリが装着されていない旨を示すエラーメッセージを操作部２０２に表示し（ステップＳ４０７）、本処理を終了する。
【００５６】
ＣＰＵ１８０は、上記メインメモリ１００に記憶した画像データをリムーバブルメモリに書き込み（ステップＳ４０８）、メインメモリ１００に記憶した画像データを削除する。次に、ＣＰＵ１８０は、スキャン対象の次の原稿がまだあるか否かを判断し（ステップＳ４０９）、スキャン対象の次の原稿がある場合は、ステップＳ４０６の処理を行う。スキャン対象の次の原稿が無い場合は、本処理を終了する。
【００５７】
なお、ステップＳ４０６、ステップＳ４０８、ステップＳ４０９においては、次のように処理を行ってもよい。先に複数ページの原稿の読み取りを行い、複数ページ原稿分の画像データをメインメモリ１００に書き込み、複数ページの原稿読み取り完了後にまとめてリムーバブルメモリに画像データを書き込むようにしてもよい。
【００５８】
次に、図８のステップＳ４０３の処理である、リムーバブルメモリを送信宛先として設定する処理の詳細について説明する。
【００５９】
図９は、画像処理装置２００が保持するアドレス帳５０００の構造を示す図である。
【００６０】
図９において、アドレス帳５０００は、メインメモリ１００に格納されている。アドレス帳番号５００１は、登録順に１〜１００番の整数値が割り当てられ、１０１番以降はリムーバブルメモリの自動登録用に使用する。後述のリムーバブルメモリのアドレス帳自動登録処理（図１１）により、画像処理装置２００に対するリムーバブルメモリ装着時にアドレス帳番号５００１の１０１番以降にリムーバブルメモリが自動登録される。画像処理装置２００からリムーバブルメモリを取り外すと、アドレス帳５０００から自動的に登録が削除される。１００番地以前アドレスは、ユーザや管理者が各項目を手動で入力することが可能である。
【００６１】
略称５００２は、送信宛先の略称を示すものであり、利用者による登録時に設定することが可能である。画像処理装置２００にリムーバブルメモリが装着された場合、当該リムーバブルメモリのメーカを示す情報を当該リムーバブルメモリから取得し、これをもとにアドレス帳番号の１０１番地以降に登録されるリムーバブルメモリの略称として表示する。
【００６２】
送信モード５００３は、画像データの送信形態を示すものであり、ＦＡＸ送信、インターネットＦＡＸ（以下ＩＦＡＸと表記）送信、Ｅｍａｉｌ送信、ＦＴＰによるファイル転送、ＳＭＢによるファイル転送、リムーバブルメモリへの送信（保存）がある。
【００６３】
アドレス５００４は、送信モード５００３で送信する宛先を示す。ＦＡＸの場合はＦＡＸ番号、ＩＦＡＸの場合はＩＰアドレス、Ｅｍａｉｌの場合はＥｍａｉｌアドレス、ＦＴＰの場合はフォルダパスである。リムーバブルメモリの場合はリムーバブルメモリ固有のＩＤであるハードウエアＩＤと\\指定フォルダパスを繋げて保存している。
【００６４】
優先表示フラグ５００５は、後述する選択宛先表示画面や送信宛先表画面を優先表示するか否かを示すものである。１の場合は優先表示対象とすることを示し、０の場合は優先表示対象としないことを示す。宛先選択フラグ５００６は、宛先として選択されている状態か否かを示すものであり、後述する送信宛先表により利用者により選択される。１の場合は選択されている状態を示し、０の場合は選択されていない状態を示す。なお、宛先選択フラグ５００６は選択宛先表示画面や送信宛先表画面から別の画面に移る際に０に設定する。
【００６５】
詳細情報へのポインタ５００７は、詳細情報へのリンク先を示すものであり、宛先に関する詳細情報の格納領域へのポインタである。詳細情報が無い場合は、ＮＵＬＬとなる。送信モードがリムーバブルメモリで且つ詳細情報がある場合は、リムーバブルメモリ情報５１００中のリムーバブルメモリ１つの情報を指し示す。
【００６６】
図１０は、画像処理装置２００に対するリムーバブルメモリの着脱時に更新するリムーバブルメモリ情報の構造を示す図である。
【００６７】
図１０において、リムーバブルメモリ情報５１００は、メインメモリ１００に格納されている。リムーバブルメモリ情報５１００は、ドライブ名５１０１、ハードウエアＩＤ５１０２、メーカ情報５１０３、書き込み実施回数５１０４を有する。更に、リムーバブルメモリ情報５１００は、読み出しプリント実施回数５１０５、メモリ残量５１０６、ステータス情報５１０７、アドレス帳番号５１０８を有する。
【００６８】
ドライブ名５１０１は、予めリムーバブルメモリが着脱されるドライブ（コネクタ）に割り当てられている。ハードウエアＩＤ５１０２は、リムーバブルメモリ固有に割り当てられた情報である。メーカ情報５１０３は、ＣＰＵ１８０がリムーバブルメモリとＵＳＢホストＩ／Ｆ部１４０を介して通信により入手したリムーバブルメモリ製造メーカを示す情報である。書き込み実施回数５１０４は、リムーバブルメモリを画像処理装置２００に装着後にデータを書き込んだ回数を示す。
【００６９】
読み出しプリント実施回数５１０５は、リムーバブルメモリを画像処理装置２００に装着後に画像データを読み出してプリントした回数、あるいはリムーバブルメモリを画像処理装置２００に装着後に画像データを読み出した回数を示す。メモリ残量５１０６は、リムーバブルメモリの残容量を示す。ステータス情報５１０７は、各ドライブ（Ｅ、Ｆ、Ｇ）のリムーバブルメモリのステータス（正常状態／異常状態）を示す情報である。アドレス帳番号情報５１０８は、アドレス帳内で該当するリムーバブルメモリのアドレス帳番号を示す情報である。
【００７０】
図１１は、画像処理装置２００に装着されたリムーバブルメモリの情報をアドレス帳に自動登録する場合の制御を示すフローチャートである。
【００７１】
図１１において、画像処理装置２００のＣＰＵ１８０は、新たに画像処理装置２００にリムーバブルメモリが装着されたか否かをＵＳＢホストＩ／Ｆ部１４０を介して判断する（ステップＳ５２０１）。画像処理装置２００にリムーバブルメモリが装着された場合は、ステップＳ５２０２の処理を行う。画像処理装置２００にリムーバブルメモリが装着されていない場合は、ステップＳ５２０１の処理を行う。
【００７２】
画像処理装置２００にリムーバブルメモリが装着された場合、ＣＰＵ１８０は、ＵＳＢホストＩ／Ｆ部１４０を介してリムーバブルメモリと通信を行い、装着されたリムーバブルメモリから情報を取得する（ステップＳ５２０２）。次に、ＣＰＵ１８０は、前記取得した情報をメインメモリ１００のリムーバブルメモリ情報５１００（図１０）に格納する（ステップＳ５２０３）。
【００７３】
次に、ＣＰＵ１８０は、アドレス帳５０００（図９）のアドレス５００４のハードウエアＩＤを参照し、装着されたリムーバブルメモリのハードウエアＩＤと同じＩＤがあるか否かを判断する（ステップＳ５２０４）。装着されたリムーバブルメモリのハードウエアＩＤと同じＩＤがある場合は、ステップＳ５２０５の処理を行う。装着されたリムーバブルメモリのハードウエアＩＤと同じＩＤが無い場合は、ステップＳ５２０６の処理を行う。
【００７４】
装着されたリムーバブルメモリのハードウエアＩＤと同じＩＤがある場合、ＣＰＵ１８０は、装着されたリムーバブルメモリの情報をリムーバブルメモリ情報５１００から取得する。更に、ＣＰＵ１８０は、アドレス帳５０００に対して該当するリムーバブルメモリの情報を反映し、優先表示フラグ５００５を１に設定し、詳細情報へのポインタ５００７にリムーバブルメモリ情報５１００の格納先を格納する。更に、ＣＰＵ１８０は、リムーバブルメモリ情報５１００のアドレス帳番号情報５１０８に上記自動登録したアドレス帳番号を格納し（ステップＳ５２０５）、本処理を終了する。
【００７５】
装着されたリムーバブルメモリのハードウエアＩＤと同じＩＤが無い場合、ＣＰＵ１８０は、アドレス帳５０００からアドレス帳番号１０１以降で未使用の番号を探す。更に、ＣＰＵ１８０は、装着されたリムーバブルメモリの情報をリムーバブルメモリ情報５１００から取得して登録する。更に、ＣＰＵ１８０は、アドレス帳５０００の優先表示フラグ５００５を１に設定し、詳細情報へのポインタ５００７にリムーバブルメモリ情報５１００の格納先を格納する。更に、ＣＰＵ１８０は、リムーバブルメモリ情報５１００のアドレス帳番号情報５１０８に上記自動登録したアドレス帳番号を格納し（ステップＳ５２０６）、本処理を終了する。
【００７６】
図１１のフローチャートを実行することにより、画像処理装置２００にリムーバブルメモリを装着するだけで当該リムーバブルメモリを画像処理装置２００が保持するアドレス帳に自動的に登録することが可能になる。
【００７７】
図１２は、画像処理装置２００のアドレス帳５０００から自動登録したリムーバブルメモリを削除する場合の制御を示すフローチャートである。
【００７８】
図１２において、画像処理装置２００のＣＰＵ１８０は、画像処理装置２００からリムーバブルメモリが取り外されたか否かを判断する（ステップＳ５３０１）。リムーバブルメモリが取り外されている場合は、ステップＳ５３０２の処理を行う。リムーバブルメモリが取り外されていない場合は、ステップＳ５３０１の処理を行う。
【００７９】
リムーバブルメモリが取り外されている場合、ＣＰＵ１８０は、以下の処理を行う。即ち、ＣＰＵ１８０は、アドレス帳５０００のアドレス５００４のハードウエアＩＤを参照し、アドレス帳番号１０１番以降に取り外されたリムーバブルメモリの登録があるか否かを判断する（ステップＳ５３０２）。取り外されたリムーバブルメモリの登録がある場合は、ステップＳ５３０３の処理を行う。取り外されたリムーバブルメモリの登録がない場合は、ステップＳ５３０４の処理を行う。
【００８０】
取り外されたリムーバブルメモリの登録がある場合、ＣＰＵ１８０は、以下の処理を行う。即ち、ＣＰＵ１８０は、取り外されたリムーバブルメモリに関する情報のアドレス帳番号に該当する情報の登録をアドレス帳５０００から削除し（ステップＳ５３０３）、ステップＳ５３０４の処理を行う。取り外されたリムーバブルメモリの登録がない場合、ＣＰＵ１８０は、取り外されたリムーバブルメモリの情報をリムーバブルメモリ情報５１００から削除し（ステップＳ５３０４）、本処理を終了する。
【００８１】
図１２のフローチャートを実行することにより、リムーバブルメモリを画像処理装置２００から取り外すだけで、当該リムーバブルメモリの情報をアドレス帳から自動的に削除することができる。これにより、リムーバブルメモリを送信宛先として設定する場合に、装着されていないリムーバブルメモリを誤って選択してしまうことを防止することができる。
【００８２】
図１３は、画像処理装置２００の選択宛先表示画面を示す図である。
【００８３】
図１３において、選択宛先表示画面は、操作部２０２のＬＣＤ表示部２８０１に表示される。選択宛先表示画面の宛先欄６００１は、宛先が設定されていない場合は宛先としては何も表示されない。後述の所定条件が成立した場合（リムーバブルメモリが装着、書き込み実施回数が０、読み出しプリント実施回数が０）には、ＣＰＵ１８０の制御により自動的にリムーバブルメモリが宛先に設定され宛先欄６００１に表示される。
【００８４】
リムーバブルメモリ以外を宛先とする通常の送信を行う場合における宛先指定の方法を説明する。宛先欄６００１が空白の状態で利用者が宛先表ボタン３１０８を押下すると、アドレス帳５０００の略称、送信モード、詳細情報等の宛先を選択するための情報が表示された送信宛先表画面（図１７）が操作部２０２に表示される。図１７の送信宛先表画面を表示するための画面データは、図９に示したアドレス帳５０００に基づいて生成される。送信宛先表画面で利用者が所望の宛先を指定すると、アドレス帳５０００の宛先選択フラグ５００６が１に設定される。そして、利用者が閉じるボタン７００３を押下すると、選択宛先表示画面の宛先欄６００１に上記指定した宛先が表示される。
【００８５】
図１４は、画像処理装置２００の選択宛先表示画面の表示中にリムーバブルメモリが装着された場合の表示制御を示すフローチャートである。
【００８６】
図１４において、画像処理装置２００のＣＰＵ１８０は、操作部２０２に選択宛先表示画面（図１３の表示画面で、宛先欄６００１が空白、あるいはリムーバブルメモリ以外の宛先が表示されている状態）が表示されている状態で次の判断を行う。ＣＰＵ１８０は、アドレス帳５０００を参照し、送信モード５００３がリムーバブルメモリで且つ優先表示フラグ５００５が１の登録情報の中に未表示のものがあるか否かを判断する。
【００８７】
未表示のものがある場合は、ＣＰＵ１８０は、リムーバブルメモリが新たに画像処理装置２００に装着されたと判断し（ステップＳ６１０１でＹＥＳ）、ステップＳ６１０２の処理を行う。未表示のものがない場合は、ＣＰＵ１８０は、リムーバブルメモリが新たに画像処理装置２００に装着されていないと判断し（ステップＳ６１０１でＮＯ）、ステップＳ６１０１の処理を行う。
【００８８】
リムーバブルメモリが画像処理装置２００に装着された場合、ＣＰＵ１８０は、上記新たに装着を確認したリムーバブルメモリの宛先選択フラグ５００６を１に設定する。更に、ＣＰＵ１８０は、アドレス帳５０００及びアドレス帳５０００にリンクされているリムーバブル情報５１００を参照し、宛先欄に表示されるように選択宛先表示画面データを作成する（ステップＳ６１０２）。更に、ＣＰＵ１８０は、メモリ残量が予め決めた値より少ない場合やステータスが正常時以外の場合は、通常の表示とは異なるグレー（ＧＲＡＹ）表示となるように選択宛先表示画面の宛先欄データを作成する。
【００８９】
次に、ＣＰＵ１８０は、操作部Ｉ／Ｆ１３０を介して選択宛先表示画面データを操作部２０２に出力する（ステップＳ６１０３）。これにより、選択宛先表示画面（図１３）が操作部２０２に表示され、本処理を終了する。
【００９０】
なお、図１３の表示画面で、リムーバブルメモリ以外の宛先が表示されている状態でリムーバブルメモリを装着した場合には、図１４のフローチャートを実行した結果として以下のような画面が表示される。即ち、リムーバブルメモリを装着する前に表示されていた宛先に加えて、装着したリムーバブルメモリを更に宛先として追加した画面が表示される。
【００９１】
以上のように、送信のための画面を表示しているときに画像処理装置２００に対するリムーバブルメモリの装着を検知する。これにより、利用者がリムーバブルメモリを宛先とするユーザであると画像処理装置２００で判断することが可能となる。そして、リムーバブルメモリを宛先として自動登録すると共に選択宛先表示画面の宛先欄に自動表示することにより、宛先の誤設定及び設定操作を軽減することが可能となる。
【００９２】
図１５は、既に画像処理装置２００にリムーバブルメモリが装着されている状態で選択宛先表示画面を表示する場合の制御を示すフローチャートである。
【００９３】
図１５において、画像処理装置２００のＣＰＵ１８０は、利用者により送信タブ３１０２が選択されると次の判断を行う。ＣＰＵ１８０は、アドレス帳５０００を参照し、送信モード５００３がリムーバブルメモリで且つ優先表示フラグ５００５が１の登録情報の中に未表示のものがあるか否かを判断する。
【００９４】
未表示のものがある場合は、ＣＰＵ１８０は、リムーバブルメモリが新たに画像処理装置２００に装着されていたと判断し（ステップＳ６２０１でＹＥＳ）、ステップＳ６２０２の処理を行う。未表示のものがない場合は、ＣＰＵ１８０は、リムーバブルメモリが新たに画像処理装置２００に装着されていないと判断し（ステップＳ６２０１でＮＯ）、ステップＳ６２０１の処理を行う。
【００９５】
リムーバブルメモリが画像処理装置２００に装着されていた場合、ＣＰＵ１８０は、以下の処理を行う。即ち、ＣＰＵ１８０は、リムーバブルメモリ情報５１００の書き込み実施回数５１０４を参照し、リムーバブルメモリの装着後に画像データの書き込みが行われているか否かを判断する（ステップＳ６２０２）。書き込み実施回数が０の場合は、ステップＳ６２０４の処理を行う。書き込み実施回数が０以外の場合は、ステップＳ６２０３の処理を行う。
【００９６】
書き込み実施回数が０以外の場合、ＣＰＵ１８０は、宛先欄を空欄にした選択宛先表示画面データを作成し（ステップＳ６２０３）、ステップＳ６２０６の処理を行う。書き込み実施回数が０の場合、ＣＰＵ１８０は、リムーバブルメモリ情報５１００の読み出しプリント実施回数５１０５を参照し、リムーバブルメモリの装着後に画像データを読み出しプリントを実施したか否かを判断する（ステップＳ６２０４）。読み出しプリント実施回数が０の場合は、ステップＳ６２０５の処理を行う。読み出しプリント実施回数が０以外の場合は、ステップＳ６２０３の処理を行う。
【００９７】
読み出しプリント実施回数が０の場合、ＣＰＵ１８０は、新たに装着されていると判断したリムーバブルメモリに関してアドレス帳５０００の宛先選択フラグ５００６を１に設定する。更に、ＣＰＵ１８０は、リムーバブルメモリ情報５１００を参照し、リムーバブルメモリの情報を宛先欄に表示するように選択宛先表示画面データを作成する（ステップＳ６２０５）。更に、ＣＰＵ１８０は、メモリ残量が予め決めた値より少ない場合やステータスが正常時以外の場合は、通常の表示とは異なるグレー表示となるように選択宛先表示画面の宛先欄データを作成する。
【００９８】
次に、ＣＰＵ１８０は、操作部Ｉ／Ｆ１３０を介して選択宛先表示画面データを操作部２０２に出力する（ステップＳ６２０６）。これにより、選択宛先表示画面（図１３）が操作部２０２に表示され、本処理を終了する。
【００９９】
以上のように、送信のための画面を表示するときに画像処理装置２００に対するリムーバブルメモリの装着及びリムーバブルメモリの書き込み回数や読み出しプリント回数をチェックする。
【０１００】
書き込み回数あるいは読み出し回数が０でない場合は、そのリムーバブルメモリは既に他の用途で使用されたものであると考えられる。よって、当該リムーバブルメモリは他のユーザによって装着され、使用した後に取り外すのを忘れられたリムーバブルメモリであると考えられる。装着されていたリムーバブルメモリは送信処理を行おうとしている利用者が持参したリムーバブルメモリではないので送信宛先として設定しないようにしている。
【０１０１】
一方、書き込み回数あるいは読み出し回数が０である場合は、これから送信指示を行なおうとしているユーザが送信指示を行う前に装着したリムーバブルメモリであると考えられる。このような場合には当該リムーバブルメモリを送信宛先として設定するようにしている。
【０１０２】
これにより、利用者がリムーバブルメモリを画像処理装置２００のドライブに挿入し続けている状態か否かを検出することで、確実に、利用者がリムーバブルメモリを宛先とするユーザであると画像処理装置２００で判断することが可能となる。そして、リムーバブルメモリを宛先として自動登録すると共に選択宛先表示画面の宛先欄に自動表示することにより、宛先の誤設定及び設定操作を軽減することが可能となる。
【０１０３】
図１６は、画像処理装置２００の選択宛先表示画面の表示中にリムーバブルメモリが取り外された場合の表示制御を示すフローチャートである。
【０１０４】
図１６は、画像処理装置２００のＣＰＵ１８０は、操作部２０２に選択宛先表示画面が表示されている状態で次の判断を行う。ＣＰＵ１８０は、選択宛先表示画面に現在表示されている宛先欄におけるリムーバブルメモリのハードウエアＩＤがアドレス帳５０００にあるか否かを検査する。
【０１０５】
リムーバブルメモリのハードウエアＩＤがアドレス帳５０００に無い場合、ＣＰＵ１８０は、リムーバブルメモリが画像処理装置２００から取り外されたと判断し（ステップＳ６３０１でＹＥＳ）、ステップＳ６３０２の処理を行う。リムーバブルメモリのハードウエアＩＤがアドレス帳５０００にある場合、ＣＰＵ１８０は、リムーバブルメモリが画像処理装置２００から取り外されていないと判断し（ステップＳ６３０１でＮＯ）、ステップＳ６３０１の処理を行う。
【０１０６】
リムーバブルメモリが画像処理装置２００から取り外された場合、ＣＰＵ１８０は、取り外されたリムーバブルメモリの情報が選択宛先表示画面の宛先欄に表示されているか否かを判断する（ステップＳ６３０２）。リムーバブルメモリの情報が選択宛先表示画面の宛先欄に表示されている場合は、ステップＳ６３０３の処理を行う。リムーバブルメモリの情報が選択宛先表示画面の宛先欄に表示されていない場合は、本処理を終了する。
【０１０７】
リムーバブルメモリの情報が選択宛先表示画面の宛先欄に表示されている場合、ＣＰＵ１８０は、取り外しを確認したリムーバブルメモリの情報を宛先欄に表示しないように、選択宛先表示画面データを作成する（ステップＳ６３０３）。次に、ＣＰＵ１８０は、操作部Ｉ／Ｆ１３０を介して選択宛先表示画面データを操作部２０２に出力する（ステップＳ６３０４）。これにより、選択宛先表示画面が操作部２０２に表示され、本処理を終了する。
【０１０８】
以上のように、画像処理装置２００からリムーバブルメモリが取り外されたことを検知することにより、利用者がリムーバブルメモリを宛先としないユーザであると画像処理装置２００で判断することが可能となる。その結果、宛先を決定するために不必要なリムーバブルメモリ情報を表示しないため、宛先の誤設定及び設定操作を軽減することが可能となる。
【０１０９】
図１７は、画像処理装置２００の送信宛先表画面を示す図である。
【０１１０】
図１７において、送信宛先表画面は、選択宛先表示画面（図１３）で宛先表ボタン３１０８が選択された場合に操作部２０２のＬＣＤ表示部２８０１に表示される画面である。送信宛先表画面で送信宛先を設定することが可能である。宛先表リスト７００１は、ＦＡＸ、ＩＦＡＸ、Ｅｍａｉｌ、ＦＴＰ、ＳＭＢ、リムーバブルメディア等の宛先を、宛先の種類に応じて表示する。
【０１１１】
宛先の種類７００２は、ＦＡＸ、ＩＦＡＸ、Ｅｍａｉｌ、ＦＴＰ、ＳＭＢ、リムーバブルメディア、全て、である。宛先の種類７００２から宛先を絞り込むことが可能であり、標準では全てとなっている。後述の所定条件成立時（リムーバブルメモリが装着、書き込み実施回数が０、読み出しプリント実施回数が０）は、ＣＰＵ１８０の制御により自動的に宛先表の先頭にリムーバブルメモリが表示される。閉じるボタン７００３は、これを押下すると選択宛先表示画面に戻る。
【０１１２】
図１８は、画像処理装置２００の送信宛先表画面の表示中にリムーバブルメモリが装着された場合の表示制御を示すフローチャートである。
【０１１３】
図１８において、画像処理装置２００のＣＰＵ１８０は、操作部２０２に送信宛先表画面が表示されている状態で次の判断を行う。ＣＰＵ１８０は、アドレス帳５０００を参照し、送信モード５００３がリムーバブルメモリで且つ優先表示フラグ５００５が１の登録情報の中に未表示のものがあるか否かを判断する。
【０１１４】
未表示のものがある場合は、ＣＰＵ１８０は、リムーバブルメモリが新たに画像処理装置２００に装着されたと判断し（ステップＳ７１０１でＹＥＳ）、ステップＳ７１０２の処理を行う。未表示のものがない場合は、ＣＰＵ１８０は、リムーバブルメモリが新たに画像処理装置２００に装着されていないと判断し（ステップＳ７１０１でＮＯ）、ステップＳ７１０１の処理を行う。
【０１１５】
リムーバブルメモリが画像処理装置２００に装着された場合、ＣＰＵ１８０は、以下の処理を行う。即ち、ＣＰＵ１８０は、リムーバブルメモリ情報５１００を参照し、新たに装着を確認したリムーバブルメモリの情報を宛先表の先頭に表示するように送信宛先表画面データを作成する（ステップＳ７１０２）。更に、ＣＰＵ１８０は、メモリ残量が予め決めた値より少ない場合や、ステータスが正常時以外の場合は、通常の表示とは異なるグレー表示となるように送信宛先表画面の宛先表データを作成する。
【０１１６】
次に、ＣＰＵ１８０は、操作部Ｉ／Ｆ１３０を介して送信宛先表画面データを操作部２０２に出力する（ステップＳ７１０３）。これにより、送信宛先表画面（図１７）が操作部２０２に表示され、本処理を終了する。
【０１１７】
以上のように、送信宛先表画面を表示しているときに画像処理装置２００に対するリムーバブルメモリの装着を検知することにより、利用者がリムーバブルメモリを宛先とするユーザであると画像処理装置２００で判断することが可能となる。そして、リムーバブルメモリを宛先として自動登録すると共に送信宛先表画面の宛先表の先頭に自動表示することにより、宛先の誤設定及び設定操作を軽減することが可能となる。
【０１１８】
図１９は、画像処理装置２００に既にリムーバブルメモリが装着されている状態で送信宛先表画面を表示する場合の制御を示すフローチャートである。
【０１１９】
図１９において、画像処理装置２００のＣＰＵ１８０は、利用者により送信宛先表画面の宛先表タブが選択されると次の判断を行う。ＣＰＵ１８０は、アドレス帳５０００を参照し、送信モード５００３がリムーバブルメモリで且つ優先表示フラグ５００５が１の登録情報の中に未表示のものがあるか否かを判断する。
【０１２０】
未表示のものがある場合は、ＣＰＵ１８０は、リムーバブルメモリが新たに画像処理装置２００に装着されたと判断し（ステップＳ７２０１でＹＥＳ）、ステップＳ７２０２の処理を行う。未表示のものがない場合は、ＣＰＵ１８０は、リムーバブルメモリが新たに画像処理装置２００に装着されていないと判断し（ステップＳ７２０１でＮＯ）、ステップＳ７２０１の処理を行う。
【０１２１】
リムーバブルメモリが画像処理装置２００に装着された場合、ＣＰＵ１８０は、以下の処理を行う。即ち、ＣＰＵ１８０は、リムーバブルメモリ情報５１００の書き込み実施回数５１０４を参照し、リムーバブルメモリの装着後に画像データの書き込みが行われているか否かを判断する（ステップＳ７２０２）。書き込み実施回数が０の場合は、ステップＳ７２０４の処理を行う。書き込み実施回数が０以外の場合は、ステップＳ７２０３の処理を行う。
【０１２２】
書き込み実施回数が０以外の場合、ＣＰＵ１８０は、通常通り送信宛先表画面データを作成し（ステップＳ７２０３）、ステップＳ７２０６の処理を行う。書き込み実施回数が０の場合、ＣＰＵ１８０は、リムーバブルメモリ情報５１００の読み出しプリント実施回数５１０５を参照し、リムーバブルメモリの装着後に画像データを読み出しプリントを実施したか否かを判断する（ステップＳ７２０４）。読み出し実施回数が０の場合は、ステップＳ７２０５の処理を行う。読み出し実施回数が０以外の場合は、ステップＳ７２０３の処理を行う。
【０１２３】
読み出し実施回数が０の場合、ＣＰＵ１８０は、新たに装着されていると判断したリムーバブルメモリに関してアドレス帳５０００の宛先選択フラグ５００６を１に設定する。更に、ＣＰＵ１８０は、リムーバブルメモリ情報５１００を参照し、リムーバブルメモリの情報を宛先表の先頭に表示するように送信宛先表画面データを作成する（ステップＳ７２０５）。更に、ＣＰＵ１８０は、メモリ残量が予め決めた値より少ない場合やステータスが正常時以外の場合は、通常の表示とは異なるグレー表示となるように送信宛先表画面の宛先表データを作成する。
【０１２４】
次に、ＣＰＵ１８０は、操作部Ｉ／Ｆ１３０を介して送信宛先表画面データを操作部２０２に出力する（ステップＳ７２０６）。これにより、送信宛先表画面（図１７）が操作部２０２に表示され、本処理を終了する。
【０１２５】
以上のように、送信宛先表画面を表示するときにリムーバブルメモリの装着及びリムーバブルメモリの書き込み実施回数や読み出し実施回数をチェックする。図１５のフローチャートと同様に、これにより、利用者がリムーバブルメモリを画像処理装置２００のドライブに挿入し続けている状態か否かを検出することで、確実に、利用者がリムーバブルメモリを宛先とするユーザであると画像処理装置２００で判断することが可能となる。そして、リムーバブルメモリを宛先として自動登録すると共に送信宛先表画面の宛先表先頭に自動表示することにより、宛先の誤設定及び設定操作の軽減することが可能となる。
【０１２６】
図２０は、画像処理装置２００の送信宛先表画面の表示中にリムーバブルメモリが取り外された場合の表示制御を示すフローチャートである。
【０１２７】
図２０において、画像処理装置２００のＣＰＵ１８０は、操作部２０２に送信宛先表画面が表示されている状態で次の判断を行う。ＣＰＵ１８０は、送信宛先表画面に現在表示されている宛先表におけるリムーバブルメモリのハードウエアＩＤがアドレス帳５０００にあるか否かを検査する。
【０１２８】
リムーバブルメモリのハードウエアＩＤがアドレス帳５０００に無い場合、ＣＰＵ１８０は、リムーバブルメモリが取り外されたと判断し（ステップＳ７３０１でＹＥＳ）、ステップＳ７３０２の処理を行う。リムーバブルメモリのハードウエアＩＤがアドレス帳５０００にある場合、ＣＰＵ１８０は、リムーバブルメモリが取り外されていないと判断し（ステップＳ７３０１でＮＯ）、ステップＳ７３０１の処理を行う。
【０１２９】
リムーバブルメモリが取り外された場合、ＣＰＵ１８０は、取り外されたリムーバブルメモリの情報が送信宛先表画面の宛先表に表示されているか否かを判断する（ステップＳ７３０２）。リムーバブルメモリの情報が送信宛先表画面の宛先表に表示されている場合は、ステップＳ７３０３の処理を行う。リムーバブルメモリの情報が送信宛先表画面の宛先表に表示されていない場合は、本処理を終了する。
【０１３０】
リムーバブルメモリの情報が送信宛先表画面の宛先表に表示されている場合、ＣＰＵ１８０は、取り外しを確認したリムーバブルメモリの情報を宛先表に表示しないように送信宛先表画面データを作成する（ステップＳ７３０３）。次に、ＣＰＵ１８０は、操作部Ｉ／Ｆ１３０を介して送信宛先表画面データを操作部２０２に出力する（ステップＳ７３０４）。これにより、送信宛先表画面が操作部２０２に表示され、本処理を終了する。
【０１３１】
図２１は、画像処理装置２００に装着されたリムーバブルメモリと他の送信手順による宛先との同報送信設定画面を示す図である。
【０１３２】
図２１において、同報送信設定画面では、通常の同報先設定と同様の設定を行う。表示部８００１は、送信宛先表画面（図１３）で宛先にリムーバブルメモリとＦＡＸとＥｍａｉｌを選択した時の表示となっている。この時、リムーバブルメモリは常に先頭に表示されるようにする。同報送信設定後にＬＣＤ表示部２８０１のスタートキー２８０３が押下されると、ＣＰＵ１８０は以下の処理を行う。
【０１３３】
原稿積載部（不図示）にセットされた全原稿をスキャナ部２０３で読み取り、読み取った画像データをメインメモリ１００に記憶する。メインメモリ１００に記憶した画像データをモデム９３を介して上記選択されたＦＡＸ送信先に送信する。また、メインメモリ１００に記憶した画像データを添付データとした電子メールデータを作成し、ＬＡＮＣ１６０を介して上記選択されたＥｍａｉｌアドレスに送信する。また、メインメモリ１００に記憶した画像データをＵＳＢＩ／Ｆ部１４０を介して上記選択されたリムーバブルメモリに書き込む。そして、メインメモリ１００に記憶した画像データを削除し、本処理を終了する。
【０１３４】
以上説明したように、本実施の形態によれば、画像処理装置２００のＣＰＵ１８０は、ＵＳＢホストＩ／Ｆ部１４０を介し画像処理装置へのリムーバブルメモリの装着を検知した場合、リムーバブルメモリに関わる情報を送信宛先一覧の先頭に表示する。また、ＣＰＵ１８０は、ＵＳＢホストＩ／Ｆ部１４０を介し画像処理装置からのリムーバブルメモリの取り外しを検知した場合、送信宛先一覧からリムーバブルメモリに関わる情報の表示を消去する。これにより、画像処理装置による画像データの送信宛先としてリムーバブルメモリを指定する場合における利用者の操作をより簡易化することが可能となる。
【０１３５】
また、画像データをリムーバブルメモリに転送する動作を、画像処理装置が本来有している送信機能の一部とし、画像データの転送先のリムーバブルメモリを送信宛先の１つとして扱うように制御する。これにより、画像処理装置の送信機能の一部を修正するだけで画像データをリムーバブルメモリに転送する動作を実現することができ、機能を追加するための設計工数を削減することが可能となる。
【０１３６】
また、画像処理装置の送信機能の送信宛先の１つとしてリムーバブルメモリを選択可能とすることで、画像データを外部へ送信する場合の同報宛先の１つとしてリムーバブルメモリを指定することができる。これにより、画像処理装置から外部へ送信した画像データを確認保存用（控え）としてリムーバブルメモリに保存しておくことが可能となる。
【０１３７】
［他の実施の形態］
上記実施の形態では、画像処理装置２００（ローカル接続）におけるScanToリムーバブルメモリ機能の制御を例に挙げたが、これに限定されるものではない。ScanToリムーバブルメモリ機能の制御は他の画像処理装置２１０、２２０（リモート接続）にも適用することが可能である。
【０１３８】
また、上記実施の形態では、画像処理装置２００の送信動作はスキャナ部２０３原稿を読み取って生成した原稿画像データを送信することであったが、これに限定されるものではない。ボックス（例えば、メインメモリ１００など）に記憶保持されている画像データを送信することも送信動作の一例としてよい。その場合、図８のステップＳ４０６の処理はメインメモリ１００から画像データを読み出す処理に置きかえればよい。
【０１３９】
また、本発明の目的は、以下の処理を実行することにより達成される。即ち、上述した実施形態の機能を実現するソフトウェアのプログラムコードを記録した記憶媒体を、システム或いは装置に供給し、そのシステム或いは装置のコンピュータ（またはＣＰＵやＭＰＵ等）が記憶媒体に格納されたプログラムコードを読み出す処理である。
【０１４０】
この場合、記憶媒体から読み出されたプログラムコード自体が前述した実施の形態の機能を実現することになり、そのプログラムコード及び該プログラムコードを記憶した記憶媒体は本発明を構成することになる。
【０１４１】
また、プログラムコードを供給するための記憶媒体としては、次のものを用いることができる。例えば、フロッピー（登録商標）ディスク、ハードディスク、光磁気ディスク、ＣＤ−ＲＯＭ、ＣＤ−Ｒ、ＣＤ−ＲＷ、ＤＶＤ−ＲＯＭ、ＤＶＤ−ＲＡＭ、ＤＶＤ−ＲＷ、ＤＶＤ＋ＲＷ、磁気テープ、不揮発性のメモリカード、ＲＯＭ等である。または、プログラムコードをネットワークを介してダウンロードしてもよい。
【０１４２】
また、コンピュータが読み出したプログラムコードを実行することにより、上記実施の形態の機能が実現される場合も本発明に含まれる。加えて、そのプログラムコードの指示に基づき、コンピュータ上で稼動しているＯＳ（オペレーティングシステム）等が実際の処理の一部または全部を行い、その処理により前述した実施形態の機能が実現される場合も含まれる。
【０１４３】
更に、前述した実施形態の機能が以下の処理により実現される場合も本発明に含まれる。即ち、記憶媒体から読み出されたプログラムコードが、コンピュータに挿入された機能拡張ボードやコンピュータに接続された機能拡張ユニットに備わるメモリに書き込まれる。その後、そのプログラムコードの指示に基づき、その機能拡張ボードや機能拡張ユニットに備わるＣＰＵ等が実際の処理の一部または全部を行う場合である。
【符号の説明】
【０１４４】
１４０、１５０  ＵＳＢＩ／Ｆ部（検知手段）
１７０  通信及びユーザＩ／Ｆ制御部
１７５  ＵＳＢメモリ（着脱式記憶媒体）
１８０  ＣＰＵ（表示制御手段）
２００、２１０、２２０  画像処理装置
２０２  操作部（選択手段）
２０３  スキャナ部（原稿読取手段）
２０４  プリンタ部
５０００  アドレス帳
５１００  リムーバブルメモリ情報
【図１】
2012070432.tif 000003
【図２】
2012070432.tif 000004
【図３】
2012070432.tif 000005
【図４】
2012070432.tif 000006
【図５】
2012070432.tif 000007
【図６】
2012070432.tif 000008
【図７】
2012070432.tif 000009
【図８】
2012070432.tif 000010
【図９】
2012070432.tif 000011
【図１０】
2012070432.tif 000012
【図１１】
2012070432.tif 000013
【図１２】
2012070432.tif 000014
【図１３】
2012070432.tif 000015
【図１４】
2012070432.tif 000016
【図１５】
2012070432.tif 000017
【図１６】
2012070432.tif 000018
【図１７】
2012070432.tif 000019
【図１８】
2012070432.tif 000020
【図１９】
2012070432.tif 000021
【図２０】
2012070432.tif 000022
【図２１】
2012070432.tif 000023
【手続補正書】
【提出日】平成24年1月6日(2012.1.6)
【手続補正１】
【補正対象書類名】明細書
【補正対象項目名】０００７
【補正方法】変更
【補正の内容】
【０００７】
上記目的を達成するために、本発明は、コピー機能を含む複数の機能を備え、画像データを記憶する着脱式記憶媒体が装着可能な画像処理装置であって、前記画像処理装置が備える複数の機能の中から実行すべき機能を選択するための選択手段と、前記選択手段による選択に応じて前記コピー機能に関する設定を行うためのコピー設定画面、又は前記着脱式記憶媒体を用いる処理を選択可能な特定機能に関する設定を行うための特定機能設定画面の何れかを表示する表示手段と、前記着脱式記憶媒体の装着を検知する検知手段と、前記コピー設定画面に表示されるコピー機能に関する設定項目は、前記検知手段によって前記着脱式記憶媒体の装着が検知されたか否かによって変更しないように制御すると共に、前記検知手段によって前記着脱式記憶媒体の装着が検知されなかった場合は、前記着脱式記憶媒体を用いる処理に関する情報を前記特定機能設定画面に選択可能に表示せず、前記着脱式記憶媒体の装着が検知された場合は、前記着脱式記憶媒体を用いる処理に関する情報を前記特定機能設定画面に選択可能に表示するよう制御する表示制御手段と、を有することを特徴とする。
【手続補正２】
【補正対象書類名】明細書
【補正対象項目名】０００８
【補正方法】変更
【補正の内容】
【０００８】
本発明によれば、着脱式記憶媒体が装着された場合、着脱式記憶媒体を用いる処理に関する情報を特定機能設定画面に選択可能に表示するため、画像処理装置において使用する着脱式記憶媒体を指定する場合の利用者の操作をより簡易化することが可能となる。特に、着脱式記憶媒体を使用したいというユーザの意思に沿った、使い易いユーザインターフェースを提供できるという効果を奏する。
【手続補正３】
【補正対象書類名】特許請求の範囲
【補正対象項目名】全文
【補正方法】変更
【補正の内容】
【特許請求の範囲】
【請求項１】
コピー機能を含む複数の機能を備え、画像データを記憶する着脱式記憶媒体が装着可能な画像処理装置であって、
前記画像処理装置が備える複数の機能の中から実行すべき機能を選択するための選択手段と、
前記選択手段による選択に応じて前記コピー機能に関する設定を行うためのコピー設定画面、又は前記着脱式記憶媒体を用いる処理を選択可能な特定機能に関する設定を行うための特定機能設定画面の何れかを表示する表示手段と、
前記着脱式記憶媒体の装着を検知する検知手段と、
前記コピー設定画面に表示されるコピー機能に関する設定項目は、前記検知手段によって前記着脱式記憶媒体の装着が検知されたか否かによって変更しないように制御すると共に、前記検知手段によって前記着脱式記憶媒体の装着が検知されなかった場合は、前記着脱式記憶媒体を用いる処理に関する情報を前記特定機能設定画面に選択可能に表示せず、前記着脱式記憶媒体の装着が検知された場合は、前記着脱式記憶媒体を用いる処理に関する情報を前記特定機能設定画面に選択可能に表示するよう制御する表示制御手段と、
を有することを特徴とする画像処理装置。
【請求項２】
前記コピー機能に関する設定項目は、両面印刷に関する項目及び印刷用紙に対する後処理に関する項目を含むことを特徴とする請求項１記載の画像処理装置。
【請求項３】
原稿を読み取って画像データを生成する原稿読取手段を更に有し、
前記着脱式記憶媒体を用いる処理を選択可能な特定機能は、前記原稿読取手段によって生成された画像データを送信する送信機能であることを特徴とする請求項１又は２記載の画像処理装置。
【請求項４】
前記送信機能は、前記原稿読取手段によって生成された画像データを電子メールを用いて外部装置に送信する第一の送信処理と、前記原稿読取手段によって生成された画像データを前記画像処理装置に装着された前記着脱式記憶媒体に送信する第二の送信処理を含み、前記特定機能設定画面において前記第一の送信処理と前記第二の送信処理の何れかを選択可能であることを特徴とする請求項３記載の画像処理装置。
【請求項５】
前記表示制御手段は、前記着脱式記憶媒体の装着が検知された場合、前記特定機能設定画面において前記第二の送信処理に関する情報を前記第一の送信処理に関する情報よりも優先して表示するよう制御することを特徴とする請求項４記載の画像処理装置。
【請求項６】
コピー機能を含む複数の機能を備え、画像データを記憶する着脱式記憶媒体が装着可能な画像処理装置の制御方法であって、
前記画像処理装置が備える複数の機能の中から実行すべき機能を選択するための選択ステップと、
前記選択ステップによる選択に応じて前記コピー機能に関する設定を行うためのコピー設定画面、又は前記着脱式記憶媒体を用いる処理を選択可能な特定機能に関する設定を行うための特定機能設定画面の何れかを表示する表示ステップと、
前記着脱式記憶媒体の装着を検知する検知ステップと、
前記コピー設定画面に表示されるコピー機能に関する設定項目は、前記検知ステップによって前記着脱式記憶媒体の装着が検知されたか否かによって変更しないように制御すると共に、前記検知ステップによって前記着脱式記憶媒体の装着が検知されなかった場合は、前記着脱式記憶媒体を用いる処理に関する情報を前記特定機能設定画面に選択可能に表示せず、前記着脱式記憶媒体の装着が検知された場合は、前記着脱式記憶媒体を用いる処理に関する情報を前記特定機能設定画面に選択可能に表示するよう制御する表示制御ステップと、
を有することを特徴とする制御方法。
【請求項７】
請求項６に記載の制御方法の各ステップをコンピュータに実行させるためのプログラム。